(57)【特許請求の範囲】
【請求項１】
基地局と移動局との通信にＴＤＤ方式を採用する移動通信システムにて、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる場合に、該複数の下りタイムスロットの送信電力を設定する送信電力設定方法において、
前記下り回線に対して一度に割り当てられる複数の第１の下りタイムスロットの前記移動局における受信品質を導出し、
前記導出した複数の第１の下りタイムスロットの受信品質の平均を導出し、
次に前記下り回線に対して一度に割り当てられる複数の第２の下りタイムスロットのそれぞれについて、前記導出した複数の第１の下りタイムスロットの受信品質の平均と、前記複数の第１の下りタイムスロットの受信品質の平均を導出してから該複数の第２の下りタイムスロットのそれぞれを送信するまでの経過時間に基づいて送信電力を設定するようにした送信電力設定方法。
【請求項２】
複数の送受信アンテナを備える基地局と移動局との通信にＴＤＤ方式を採用する移動通信システムにて、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる場合に、該複数の下りタイムスロットの送信電力を設定する送信電力設定方法において、
前記複数の送受信アンテナ毎に、前記移動局から前記基地局へ向かう上り回線に対して一度に割り当てられ、該送受信アンテナにより受信される上りタイムスロットの受信電力を導出し、
前記複数の送受信アンテナ毎に、前記導出した上りタイムスロットの受信電力の平均を導出し、
前記複数の送受信アンテナ毎に、次に前記下り回線に対して一度に割り当てられ、該送受信アンテナから送信される複数の第２の下りタイムスロットのそれぞれについて、前記導出した上りタイムスロットの受信電力の平均と、前記上りタイムスロットの該受信電力の平均を導出してから該複数の第２の下りタイムスロットのそれぞれを送信するまでの経過時間に基づいて送信電力を設定するようにした送信電力設定方法。
【請求項３】
複数の送受信アンテナを備える基地局と移動局との通信にＴＤＤ方式を採用する移動通信システムにて、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる場合に、該複数の下りタイムスロットの送信電力を設定する送信電力設定方法において、
前記下り回線に対して一度に割り当てられる複数の第１の下りタイムスロットの前記移動局における受信品質を導出し、前記導出した複数の第１の下りタイムスロットの受信品質の平均を導出し、
前記複数の送受信アンテナ毎に、前記移動局から前記基地局へ向かう上り回線に対して一度に割り当てられ、該送受信アンテナにより受信される上りタイムスロットの受信電力を導出し、
前記複数の送受信アンテナ毎に、前記導出した上りタイムスロットの受信電力の平均を導出し、
前記複数の送受信アンテナ毎に、次に前記下り回線に対して一度に割り当てられ、該送受信アンテナから送信される複数の第２の下りタイムスロットのそれぞれについて、前記導出した複数の第１の下りタイムスロットの受信品質の平均と、前記導出した上りタイムスロットの受信電力の平均と、前記複数の第１の下りタイムスロットの受信品質の平均を導出してから該複数の第２の下りタイムスロットのそれぞれを送信するまでの経過時間に基づいて送信電力を設定するようにした送信電力設定方法。
【請求項４】
請求項１又は３に記載の送信電力設定方法において、
前記導出した複数の第１の下りタイムスロットの受信品質に所定の重み付けをし、
該重み付けされた複数の第１の下りタイムスロットの受信品質の平均を導出するようにした送信電力設定方法。
【請求項５】
請求項１、３又は４に記載の送信電力設定方法において、
前記複数の第２の下りタイムスロットのそれぞれについて、前記複数の第１の下りタイムスロットの受信品質の平均を導出してから該複数の第２の下りタイムスロットのそれぞれを送信するまでの経過時間に応じて、次に下り回線に一度に割り当てられる複数の第２の下りタイムスロットのうち、後に送信される下りタイムスロットの送信電力ほど大きくするようにした送信電力設定方法。
【請求項６】
請求項５に記載の送信電力設定方法において、
前記複数の第２の下りタイムスロットのそれぞれについて、前記複数の第１の下りタイムスロットの受信品質の平均を導出してから該複数の第２の下りタイムスロットのそれぞれを送信するまでの経過時間に応じた電力値を導出し、初期電力値が該導出した電力値になるように増減させて送信電力を設定するようにした送信電力設定方法。
【請求項７】
請求項２又は３に記載の送信電力設定方法において、
前記導出した上りタイムスロットの受信電力に所定の重み付けをし、
該重み付けされた上りタイムスロットの受信電力の平均を導出するようにした送信電力設定方法。
【請求項８】
請求項２、３又は７に記載の送信電力設定方法において、
前記複数の第２の下りタイムスロットのそれぞれについて、前記上りタイムスロットの受信電力の平均を導出してから該複数の第２の下りタイムスロットのそれぞれを送信するまでの経過時間に応じて、次に下り回線に一度に割り当てられる複数の第２の下りタイムスロットのうち、後に送信される下りタイムスロットの送信電力ほど大きくするようにした送信電力設定方法。
【請求項９】
請求項８に記載の送信電力設定方法において、
前記複数の第２の下りタイムスロットのそれぞれについて、前記上りタイムスロットの受信電力の平均を導出してから該複数の第２の下りタイムスロットのそれぞれを送信するまでの経過時間に応じた電力値を導出し、初期電力値が該導出した電力値になるように増減させて送信電力を設定するようにした送信電力設定方法。
【請求項１０】
請求項１乃至９の何れかに記載の送信電力設定方法において、
前記複数の第２の下りタイムスロットのそれぞれについて、前記基地局と前記移動局との通信におけるフェージング周波数に応じた送信電力を設定するようにした送信電力設定方法。
【請求項１１】
請求項１０に記載の送信電力設定方法において、
前記複数の第２の下りタイムスロットのそれぞれについて、前記基地局と前記移動局との通信におけるフェージング周波数に応じた電力値を導出し、初期電力値が該導出した電力値になるように増減させて送信電力を設定するようにした送信電力設定方法。
【請求項１２】
基地局と移動局との通信にＴＤＤ方式を採用し、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる移動通信システムにおいて、
前記移動局は、
前記基地局から前記移動局へ向かう下り回線に対して一度に割り当てられる複数の第１の下りタイムスロットの受信品質を導出する下り受信品質導出手段と、
前記導出された複数の第１の下りタイムスロットの受信品質の平均を導出する下り受信品質平均導出手段と、
を備え、
前記基地局は、
次に前記下り回線に対して一度に割り当てられる複数の第２の下りタイムスロットのそれぞれについて、前記導出された複数の第１の下りタイムスロットの受信品質の平均と、前記複数の第１の下りタイムスロットの受信品質の平均が導出されてから該複数の第２の下りタイムスロットのそれぞれを送信するまでの経過時間に基づいて送信電力を設定する送信電力設定手段
を備える移動通信システム。
【請求項１３】
請求項１２に記載の移動通信システムにおいて、
前記下り受信品質平均導出手段は、前記導出された複数の第１の下りタイムスロットの受信品質に所定の重み付けをし、該重み付けされた複数の第１の下りタイムスロットの受信品質の平均を導出するようにした移動通信システム。
【請求項１４】
請求項１２又は１３に記載の移動通信システムにおいて、
前記送信電力設定手段は、前記複数の第２の下りタイムスロットのそれぞれについて、前記複数の第１の下りタイムスロットの受信品質の平均が導出されてから該複数の第２の下りタイムスロットのそれぞれを送信するまでの経過時間に応じて、次に下り回線に一度に割り当てられる複数の下りタイムスロットのうち、後に送信される下りタイムスロットの送信電力ほど大きくするようにした移動通信システム。
【請求項１５】
請求項１４に記載の移動通信システムにおいて、
前記送信電力設定手段は、前記複数の第２の下りタイムスロットのそれぞれについて、前記複数の第１の下りタイムスロットの受信品質の平均が導出されてから該複数の第２の下りタイムスロットのそれぞれを送信するまでの経過時間に応じた電力値を導出し、初期電力値が該導出した電力値になるように増減させて送信電力を設定するようにした移動通信システム。
【請求項１６】
請求項１２乃至１５の何れかに記載の移動通信システムにおいて、
前記基地局は、
複数の送受信アンテナと、
前記複数の送受信アンテナ毎に、前記移動局から前記基地局へ向かう上り回線に対して一度に割り当てられ、該送受信アンテナにより受信される上りタイムスロットの受信電力を導出する上り受信電力導出手段と、
前記複数の送受信アンテナ毎に、前記導出された上りタイムスロットの受信電力の平均を導出する上り受信電力平均導出手段と、
を備え、
前記送信電力設定手段は、前記複数の送受信アンテナ毎に、前記複数の第２の下りタイムスロットのそれぞれについて、前記導出された上りタイムスロットの受信電力の平均に基づいて送信電力を設定するようにした移動通信システム。
【請求項１７】
請求項１６に記載の移動通信システムにおいて、
前記上り受信電力平均導出手段は、前記導出された上りタイムスロットの受信電力に所定の重み付けをし、該重み付けされた上りタイムスロットの受信電力の平均を導出するようにした移動通信システム。
【請求項１８】
請求項１６又は１７に記載の移動通信システムにおいて、
前記送信電力設定手段は、前記複数の第２の下りタイムスロットのそれぞれについて、前記上りタイムスロットの受信電力の平均を導出してから該複数の第２の下りタイムスロットのそれぞれを送信するまでの経過時間に応じた送信電力を設定するようにした移動通信システム。
【請求項１９】
請求項１８に記載の移動通信システムにおいて、
前記送信電力設定手段は、前記複数の第２の下りタイムスロットのそれぞれについて、前記上りタイムスロットの受信電力の平均を導出してから該複数の第２の下りタイムスロットのそれぞれを送信するまでの経過時間に応じた電力値を導出し、初期電力値が該導出した電力値になるように増減させて送信電力を設定するようにした移動通信システム。
【請求項２０】
請求項１２乃至１９の何れかに記載の移動通信システムにおいて、
前記送信電力設定手段は、前記複数の第２の下りタイムスロットのそれぞれについて、前記基地局と前記移動局との通信におけるフェージング周波数に応じた送信電力を設定するようにした移動通信システム。
【請求項２１】
請求項２０に記載の移動通信システムにおいて、
前記送信電力設定手段は、前記複数の第２の下りタイムスロットのそれぞれについて、前記基地局と前記移動局との通信におけるフェージング周波数に応じた電力値を導出し、初期電力値が該導出した電力値になるように増減させて送信電力を設定するようにした移動通信システム。
【請求項２２】
移動局との通信にＴＤＤ方式を採用し、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる基地局において、
複数の送受信アンテナと、
前記複数の送受信アンテナ毎に、前記移動局から前記基地局へ向かう上り回線に対して一度に割り当てられ、該送受信アンテナにより受信される上りタイムスロットの受信電力を導出する上り受信電力導出手段と、
前記複数の送受信アンテナ毎に、前記導出された上りタイムスロットの受信電力の平均を導出する上り受信電力平均導出手段と、
前記複数の送受信アンテナ毎に、次に前記基地局から前記移動局へ向かう下り回線に対して一度に割り当てられ、該送受信アンテナから送信される複数の下りタイムスロットのそれぞれについて、前記導出された上りタイムスロットの受信電力の平均と、前記上りタイムスロットの受信電力の平均を導出してから該複数の下りタイムスロットのそれぞれを送信するまでの経過時間に基づいて送信電力を設定する送信電力設定手段と、
を備える基地局。
【請求項２３】
請求項２２に記載の基地局において、
前記上り受信電力平均導出手段は、前記導出された上りタイムスロットの受信電力に所定の重み付けをし、該重み付けされた上りタイムスロットの受信電力の平均を導出するようにした基地局。
【請求項２４】
請求項２２又は２３に記載の基地局において、
前記送信電力設定手段は、前記複数の下りタイムスロットのそれぞれについて、前記上りタイムスロットの受信電力の平均を導出してから該複数の下りタイムスロットのそれぞれを送信するまでの経過時間に応じて、次に下り回線に一度に割り当てられる複数の下りタイムスロットのうち、後に送信される下りタイムスロットの送信電力ほど大きくするようにした基地局。
【請求項２５】
請求項２４に記載の基地局において、
前記送信電力設定手段は、前記複数の下りタイムスロットのそれぞれについて、前記上りタイムスロットの受信電力の平均を導出してから該複数の下りタイムスロットのそれぞれを送信するまでの経過時間に応じた電力値を導出し、初期電力値が該導出した電力値になるように増減させて送信電力を設定するようにした基地局。
【請求項２６】
請求項２２乃至２５の何れかに記載の基地局において、
前記送信電力設定手段は、前記複数の下りタイムスロットのそれぞれについて、前記基地局と前記移動局との通信におけるフェージング周波数に応じた送信電力を設定するようにした基地局。
【請求項２７】
請求項２６に記載の基地局において、
前記送信電力設定手段は、前記複数の下りタイムスロットのそれぞれについて、前記基地局と前記移動局との通信におけるフェージング周波数に応じた電力値を導出し、初期電力値が該導出した電力値になるように増減させて送信電力を設定するようにした基地局。
【発明の詳細な説明】
【０００１】
【発明の属する技術分野】
本発明は、基地局と移動局とを有し、これらの間の通信にＴＤＤ方式を採用する移動通信システムにて、基地局から移動局へ向かう下り回線に対して割り当てられる下りタイムスロットの送信電力を設定する送信電力設定方法に関する。
【０００２】
【従来の技術】
ＴＤＤ（Time Division Duplex）方式を採用した移動通信システムでは、基地局と移動局との間の通信において、基地局から移動局へ向かう下り回線と移動局から基地局へ向かう上り回線のそれぞれに対し、交互にタイムスロットが１つずつ割り当てられる。
【０００３】
基地局は、下り回線に割り当てられたタイムスロット（以下「下りタイムスロット」と称する）を移動局へ送信する際、当該移動局において下りタイムスロットが確実に受信されるように、適切な送信電力を設定する必要がある。
【０００４】
図６は、従来の下りタイムスロットの送信電力を設定する第１の方法の概念図である。この第１の方法においては、移動局は、基地局からの下りタイムスロットを受信すると、この下りタイムスロットの受信品質（希望信号電力と干渉信号電力の比や、ビットエラー率、ブロックエラー率等）を導出する（手順１）。
【０００５】
次に移動局は、この受信品質が所定の品質を満たしていない場合には、送信電力を上げるように要求し、所定の品質を過剰に満たしている場合には、送信電力を下げるように要求する。この要求は、送信電力制御情報（ＴＰＣ：Transmit Power Control）として上り回線に割り当てられたタイムスロット（以下「上りタイムスロット」と称する）に包含され、基地局へ送られる（手順２）。
【０００６】
基地局は、移動局からの送信電力制御情報を包含した上りタイムスロットを受信すると（手順３）、この送信電力制御情報に基づいて、次に割り当てられる下りタイムスロットの送信電力を設定し、送信する（手順４）。
【０００７】
図７は、従来の下りタイムスロットの送信電力を設定する第２の方法の概念図である。ここでは、基地局は複数の送受信アンテナを有し、送受信ダイバーシチの方法を実現することができる。
【０００８】
この第２の方法においては、基地局は、移動局からの上りタイムスロットを複数の送受信アンテナにより受信し、各送受信アンテナ毎に、その受信電力を導出する（手順１）。次に基地局は、これら送受信アンテナ毎の受信電力に基づいて、各送受信アンテナの重み付けを決定し、次に割り当てられる下りタイムスロットを、その重み付けに対応する送信電力で各送受信アンテナから送信する（手順２）。
【０００９】
【発明が解決しようとする課題】
ところで、Ｗ−ＣＤＭＡ（Wide-band Code Division Multiple Access ）−ＴＤＤ方式を採用した移動通信システムでは、上下のタイムスロットを１つずつ交互に割り当てるのではなく、一度に複数の下りタイムスロットを割り当てることができる。
【００１０】
このような場合に、上述した従来の下りタイムスロットの送信電力を設定する第１の方法を適用することを考える。現在の仕様においては、上りタイムスロットには１つの送信電力制御情報しか含めることができない。このため、例えば、１つの上りタイムスロットと複数の下りタイムスロットとが交互に割り当てられる移動通信システムに、上述した第１の方法を適用した場合、基地局は、１つの送信制御情報に基づいて、一度に割り当てられる複数の下りタイムスロットの送信電力を同じ値に設定することになる。その結果、各下りタイムスロットは、品質が異なるにもかかわらず、その送信電力が同じ値になってしまう。
【００１１】
一方、上述した従来の下りタイムスロットの送信電力を設定する第２の方法を適用することを考える。上述した第２の方法を適用した場合、基地局は、同じ重み付けで、一度に割り当てられる複数の下りタイムスロットの送信電力を同じ値に設定することになる。従って、第１の方法を適用した場合と同様、各下りタイムスロットは、品質が異なるにもかかわらず、その送信電力が同じ値になってしまう。
【００１２】
本発明は、上記問題点を解決するものであり、その目的は、下り回線に対し、一度に複数のタイムスロットを割り当てる際に、これら各タイムスロットの送信電力を適切に設定することが可能な送信電力設定方法、移動通信システム及び基地局を提供することにある。
【００１３】
【課題を解決するための手段】
上記の目的を達成するため、本発明によれば、基地局と移動局との通信にＴＤＤ方式を採用する移動通信システムにて、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる場合に、該複数の下りタイムスロットの送信電力を設定する送信電力設定方法において、前記下り回線に対して一度に割り当てられる複数の第１の下りタイムスロットの前記移動局における受信品質を導出し、前記導出した複数の第１の下りタイムスロットの受信品質の平均を導出し、次に前記下り回線に対して一度に割り当てられる複数の第２の下りタイムスロットのそれぞれについて、前記導出した複数の第１の下りタイムスロットの受信品質の平均に基づいて送信電力を設定するようにした。
【００１４】
このような送信電力設定方法では、下り回線に対して一度に割り当てられる複数の下りタイムスロットのそれぞれについて、直前に下り回線に対して一度に割り当てられた複数の下りタイムスロットの受信品質の平均に基づいて、送信電力が設定されるため、各下りタイムスロットに対し、適切な送信電力を設定することが可能となる。
【００１５】
ここで、受信品質とは、受信信号の電力や、希望信号電力と干渉信号電力の比、ビットエラー率、ブロックエラー率等を示す。また、これらの複数の要素の受信品質が導出された場合には、受信品質の平均の導出とは、個々の要素毎の平均を導出することを示す。
【００１６】
また、上記の目的を達成するため、本発明によれば、複数の送受信アンテナを備える基地局と移動局との通信にＴＤＤ方式を採用する移動通信システムにて、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる場合に、該複数の下りタイムスロットの送信電力を設定する送信電力設定方法において、前記複数の送受信アンテナ毎に、前記移動局から前記基地局へ向かう上り回線に対して一度に割り当てられ、該送受信アンテナにより受信される上りタイムスロットの受信電力を導出し、前記複数の送受信アンテナ毎に、前記導出した上りタイムスロットの受信電力の平均を導出し、前記複数の送受信アンテナ毎に、次に前記下り回線に対して一度に割り当てられ、該送受信アンテナから送信される複数の第２の下りタイムスロットのそれぞれについて、前記導出した上りタイムスロットの受信電力の平均に基づいて送信電力を設定するようにした。
【００１７】
このような送信電力設定方法では、下り回線に対して一度に割り当てられ、各送受信アンテナから送信される複数の下りタイムスロットのそれぞれについて、直前に上り回線に対して割り当てられた上りタイムスロットの受信電力の平均に基づいて、送信電力が設定されるため、各下りタイムスロットに対し、適切な送信電力を設定することが可能となる。
【００１８】
また、上記の目的を達成するため、本発明によれば、複数の送受信アンテナを備える基地局と移動局との通信にＴＤＤ方式を採用する移動通信システムにて、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる場合に、該複数の下りタイムスロットの送信電力を設定する送信電力設定方法において、前記下り回線に対して一度に割り当てられる複数の第１の下りタイムスロットの前記移動局における受信品質を導出し、前記導出した複数の第１の下りタイムスロットの受信品質の平均を導出し、前記複数の送受信アンテナ毎に、前記移動局から前記基地局へ向かう上り回線に対して一度に割り当てられ、該送受信アンテナにより受信される上りタイムスロットの受信電力を導出し、前記複数の送受信アンテナ毎に、前記導出した上りタイムスロットの受信電力の平均を導出し、前記複数の送受信アンテナ毎に、次に前記下り回線に対して一度に割り当てられ、該送受信アンテナから送信される複数の第２の下りタイムスロットのそれぞれについて、前記導出した複数の第１の下りタイムスロットの受信品質の平均と、前記導出した上りタイムスロットの受信電力の平均とに基づいて送信電力を設定するようにした。
【００１９】
このような送信電力設定方法では、下り回線に対して一度に割り当てられ、各送受信アンテナから送信される複数の下りタイムスロットのそれぞれについて、直前に下り回線に対して一度に割り当てられた複数の下りタイムスロットの受信品質の平均と、直前に上り回線に対して割り当てられた上りタイムスロットの受信電力の平均とに基づいて、送信電力が設定されるため、各下りタイムスロットに対し、適切な送信電力を設定することが可能となる。
【００２０】
また、本発明によれば、前記送信電力設定方法において、前記導出した複数の第１の下りタイムスロットの受信品質に所定の重み付けをし、該重み付けされた複数の第１の下りタイムスロットの受信品質の平均を導出するようにした。
【００２１】
また、本発明によれば、前記送信電力設定方法において、前記複数の第２の下りタイムスロットのそれぞれについて、前記複数の第１の下りタイムスロットの受信品質の平均を導出してから該複数の第２の下りタイムスロットのそれぞれを送信するまでの経過時間に応じた送信電力を設定するようにした。
【００２２】
次に下り回線に対して一度に割り当てられる複数の下りタイムスロットのそれぞれについての送信電力は、直前に下り回線に対して一度に割り当てられた複数の下りタイムスロットの受信品質の平均を導出してから次に下り回線に対して一度に割り当てられる複数の下りタイムスロットを送信するまでの経過時間が長いほど、調整が必要となる。従って、この経過時間に応じて送信電力を設定することにより、各下りタイムスロットに対し、適切な送信電力を設定することが可能となる。
【００２３】
また、本発明によれば、前記送信電力設定方法において、前記複数の第２の下りタイムスロットのそれぞれについて、前記複数の第１の下りタイムスロットの受信品質の平均を導出してからの経過時間に応じた電力値を導出し、初期電力値が該導出した電力値になるように増減させて送信電力を設定するようにした。
【００２４】
また、本発明によれば、前記送信電力設定方法において、前記導出した上りタイムスロットの受信電力に所定の重み付けをし、該重み付けされた上りタイムスロットの受信電力の平均を導出するようにした。
【００２５】
また、本発明によれば、前記送信電力設定方法において、前記複数の第２の下りタイムスロットのそれぞれについて、前記上りタイムスロットの受信電力の平均を導出してから該複数の第２の下りタイムスロットのそれぞれを送信するまでの経過時間に応じた送信電力を設定するようにした。
【００２６】
次に下り回線に対して一度に割り当てられる複数の下りタイムスロットのそれぞれについての送信電力は、直前に上り回線に対して割り当てられた上りタイムスロットの受信電力の平均を導出してから次に下り回線に対して一度に割り当てられる複数の下りタイムスロットを送信するまでの経過時間が長いほど、調整が必要となる。従って、この経過時間に応じて送信電力を設定することにより、各下りタイムスロットに対し、適切な送信電力を設定することが可能となる。
【００２７】
また、本発明によれば、前記送信電力設定方法において、前記複数の第２の下りタイムスロットのそれぞれについて、前記上りタイムスロットの受信電力の平均を導出してから該複数の第２の下りタイムスロットのそれぞれを送信するまでの経過時間に応じた電力値を導出し、初期電力値が該導出した電力値になるように増減させて送信電力を設定するようにした。
【００２８】
また、本発明によれば、前記送信電力設定方法において、前記複数の第２の下りタイムスロットのそれぞれについて、前記基地局と前記移動局との通信におけるフェージング周波数に応じた送信電力を設定するようにした。
【００２９】
下り回線に対して一度に割り当てられる複数の下りタイムスロットのそれぞれの受信品質は、直前に下り回線に対して一度に割り当てられた複数の下りタイムスロットの受信品質の平均、あるいは直前に上り回線に対して割り当てられた上りタイムスロットの受信電力の平均と、基地局と移動局との通信におけるフェージング周波数とに基づいて、類推することが可能である。従って、このフェージング周波数に応じて送信電力を設定することにより、各下りタイムスロットに対し、適切な送信電力を設定することが可能となる。
【００３０】
また、本発明によれば、前記送信電力設定方法において、前記複数の第２の下りタイムスロットのそれぞれについて、前記基地局と前記移動局との通信におけるフェージング周波数に応じた電力値を導出し、初期電力値が該導出した電力値になるように増減させて送信電力を設定するようにした。
【００３１】
また、上記の目的を達成するため、本発明によれば、基地局と移動局との通信にＴＤＤ方式を採用し、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる移動通信システムにおいて、前記移動局は、前記基地局から前記移動局へ向かう下り回線に対して一度に割り当てられる複数の第１の下りタイムスロットの受信品質を導出する下り受信品質導出手段と、前記導出された複数の第１の下りタイムスロットの受信品質の平均を導出する下り受信品質平均導出手段とを備え、前記基地局は、次に前記下り回線に対して一度に割り当てられる複数の第２の下りタイムスロットのそれぞれについて、前記導出された複数の第１の下りタイムスロットの受信品質の平均に基づいて送信電力を設定する送信電力設定手段を備える。
【００３２】
また、本発明によれば、前記移動通信システムにおいて、前記下り受信品質平均導出手段は、前記導出された複数の第１の下りタイムスロットの受信品質に所定の重み付けをし、該重み付けされた複数の第１の下りタイムスロットの受信品質の平均を導出するようにした。
【００３３】
また、本発明によれば、前記移動通信システムにおいて、前記送信電力設定手段は、前記複数の第２の下りタイムスロットのそれぞれについて、前記複数の第１の下りタイムスロットの受信品質の平均が導出されてから該複数の第２の下りタイムスロットのそれぞれを送信するまでの経過時間に応じた送信電力を設定するようにした。
【００３４】
また、本発明によれば、前記移動通信システムにおいて、前記送信電力設定手段は、前記複数の第２の下りタイムスロットのそれぞれについて、前記複数の第１の下りタイムスロットの受信品質の平均が導出されてから該複数の第２の下りタイムスロットのそれぞれを送信するまでの経過時間に応じた電力値を導出し、初期電力値が該導出した電力値になるように増減させて送信電力を設定するようにした。
【００３５】
また、本発明によれば、前記移動通信システムにおいて、前記基地局は、複数の送受信アンテナと、前記複数の送受信アンテナ毎に、前記移動局から前記基地局へ向かう上り回線に対して一度に割り当てられ、該送受信アンテナにより受信される上りタイムスロットの受信電力を導出する上り受信電力導出手段と、前記複数の送受信アンテナ毎に、前記導出された上りタイムスロットの受信電力の平均を導出する上り受信電力平均導出手段とを備え、前記送信電力設定手段は、前記複数の送受信アンテナ毎に、前記複数の第２の下りタイムスロットのそれぞれについて、前記導出された上りタイムスロットの受信電力の平均に基づいて送信電力を設定するようにした。
【００３６】
また、本発明によれば、前記移動通信システムにおいて、前記上り受信電力平均導出手段は、前記導出された上りタイムスロットの受信電力に所定の重み付けをし、該重み付けされた上りタイムスロットの受信電力の平均を導出するようにした。
【００３７】
また、本発明によれば、前記移動通信システムにおいて、前記送信電力設定手段は、前記複数の第２の下りタイムスロットのそれぞれについて、前記上りタイムスロットの受信電力の平均を導出してから該複数の第２の下りタイムスロットのそれぞれを送信するまでの経過時間に応じた送信電力を設定するようにした。
【００３８】
また、本発明によれば、前記移動通信システムにおいて、前記送信電力設定手段は、前記複数の第２の下りタイムスロットのそれぞれについて、前記上りタイムスロットの受信電力の平均を導出してから該複数の第２の下りタイムスロットのそれぞれを送信するまでの経過時間に応じた電力値を導出し、初期電力値が該導出した電力値になるように増減させて送信電力を設定するようにした。
【００３９】
また、本発明によれば、前記移動通信システムにおいて、前記送信電力設定手段は、前記複数の第２の下りタイムスロットのそれぞれについて、前記基地局と前記移動局との通信におけるフェージング周波数に応じた送信電力を設定するようにした。
【００４０】
また、本発明によれば、前記移動通信システムにおいて、前記送信電力設定手段は、前記複数の第２の下りタイムスロットのそれぞれについて、前記基地局と前記移動局との通信におけるフェージング周波数に応じた電力値を導出し、初期電力値が該導出した電力値になるように増減させて送信電力を設定するようにした。
【００４１】
また、上記の目的を達成するため、本発明によれば、移動局との通信にＴＤＤ方式を採用し、前記基地局から前記移動局へ向かう下り回線と前記移動局から前記基地局へ向かう上り回線とにタイムスロットが非対称に割り当てられ、且つ、前記下り回線に対して一度に複数の下りタイムスロットが割り当てられる基地局において、複数の送受信アンテナと、前記複数の送受信アンテナ毎に、前記移動局から前記基地局へ向かう上り回線に対して一度に割り当てられ、該送受信アンテナにより受信される上りタイムスロットの受信電力を導出する上り受信電力導出手段と、前記複数の送受信アンテナ毎に、前記導出された上りタイムスロットの受信電力の平均を導出する上り受信電力平均導出手段と、前記複数の送受信アンテナ毎に、次に前記基地局から前記移動局へ向かう下り回線に対して一度に割り当てられ、該送受信アンテナから送信される複数の下りタイムスロットのそれぞれについて、前記導出された上りタイムスロットの受信電力の平均に基づいて送信電力を設定する送信電力設定手段とを備える。
【００４２】
また、本発明によれば、前記基地局において、前記上り受信電力平均導出手段は、前記導出された上りタイムスロットの受信電力に所定の重み付けをし、該重み付けされた上りタイムスロットの受信電力の平均を導出するようにした。
【００４３】
また、本発明によれば、前記基地局において、前記送信電力設定手段は、前記複数の下りタイムスロットのそれぞれについて、前記上りタイムスロットの受信電力の平均を導出してから該複数の下りタイムスロットのそれぞれを送信するまでの経過時間に応じた送信電力を設定するようにした。
【００４４】
また、本発明によれば、前記基地局において、前記送信電力設定手段は、前記複数の下りタイムスロットのそれぞれについて、前記上りタイムスロットの受信電力の平均を導出してから該複数の下りタイムスロットのそれぞれを送信するまでの経過時間に応じた電力値を導出し、初期電力値が該導出した電力値になるように増減させて送信電力を設定するようにした。
【００４５】
また、本発明によれば、前記基地局において、前記送信電力設定手段は、前記複数の下りタイムスロットのそれぞれについて、前記基地局と前記移動局との通信におけるフェージング周波数に応じた送信電力を設定するようにした。
【００４６】
また、本発明によれば、前記基地局において、前記送信電力設定手段は、前記複数の下りタイムスロットのそれぞれについて、前記基地局と前記移動局との通信におけるフェージング周波数に応じた電力値を導出し、初期電力値が該導出した電力値になるように増減させて送信電力を設定するようにした。
【００４７】
【発明の実施の形態】
以下、本発明の実施の形態を図面に基づいて説明する。図１は、本発明の実施の形態に係る移動通信システムの構成例を示す図である。同図に示す移動通信システム１００は、携帯電話機等の移動局１１０、基地局１２０、移動通信システム全体を制御する無線ネットワーク制御装置（ＲＮＣ）１３０、移動通信ネットワーク１４０を備えて構成される。
【００４８】
この移動通信システム１００では、基地局１２０と移動局１１０との通信にＴＤＤ方式が採用され、基地局１２０から移動局１１０へ向かう下り回線と移動局１１０から基地局１２０へ向かう上り回線とにタイムスロットが非対称に割り当てられ、且つ、下り回線に対して一度に複数の下りタイムスロットが割り当てられるとともに、上り回線に対して一度に１又は複数の上りタイムスロットが割り当てられる。
【００４９】
また、この移動通信システム１００では、下り回線に対して一度に割り当てられる複数の下りタイムスロットのそれぞれについて、直前に下り回線に対して一度に割り当てられた複数の下りタイムスロットの移動局１１０における受信品質と、直前に上り回線に対して一度に割り当てられた１又は複数の上りタイムスロットの基地局１２０における受信電力と、後述する制御遅延時間及び移動局１１０と基地局１２０との通信におけるフェージング周波数と基づいて、送信電力が設定される。
【００５０】
図２は、移動局１１０の構成例を示す図である。同図に示すように、移動局１１０は、受信部１１１、データ復調部１１２、データ品質導出部１１３、データ品質平均化部１１４、受信電力導出部１１５、受信電力平均化部１１６、送信電力制御情報生成部１１７及び送信部１１８を備える。
【００５１】
受信部１１１は、基地局１２０から送信される、下り回線に対して一度に割り当てられた複数の下りタイムスロットを受信する。この受信部１１１によって受信された下りタイムスロットは、データ復調部１１２及び受信電力導出部１１５へ送られる。
【００５２】
データ復調部１１２は、受信部１１１から送られる、下り回線に対して一度に割り当てられた複数の下りタイムスロットのそれぞれを復調する。例えば、移動通信システム１００がＣＤＭＡ方式を採用する場合、データ復調部１１２は、所定の拡散符号を用いた逆拡散によりデータを復調する。
【００５３】
データ品質導出部１１３は、データ復調部１１２によって復調されたデータ（復調データ）に基づいて、下り回線に対して一度に割り当てられた複数の下りタイムスロットのぞれぞれについて、データ品質（ビットエラー率、ブロックエラー率等）を導出する。
【００５４】
データ品質平均化部１１４は、データ品質導出部１１３によって導出された、下り回線に対して一度に割り当てられた複数の下りタイムスロットのぞれぞれについてのデータ品質を平均化する。
【００５５】
なお、受信された複数の下りタイムスロットは、後に受信された下りタイムスロットの方が送信電力の設定対象である次に下り回線に対して一度に割り当てられる複数の下りタイムスロットとの時間差が小さい。このため、データ品質平均化部１１４は、受信された複数の下りタイムスロットのデータ品質のそれぞれについて、下りタイムスロットの受信順序が遅くなるにつれて、そのデータ品質に対する重み付けを大きくして、平均化するようにしても良い。平均化されたデータ品質は、送信電力制御情報生成部１１７へ送られる。
【００５６】
受信電力導出部１１５は、受信部１１１から送られる、下り回線に対して一度に割り当てられた複数の下りタイムスロットのそれぞれについて、受信電力を導出する。また、受信電力導出部１１５は、導出した受信電力に基づいて、希望信号電力と干渉信号電力の比（以下「Ｓ／Ｎ比」と称する）を導出する。
【００５７】
受信電力平均化部１１６は、受信電力導出部１１５によって導出された、下り回線に対して一度に割り当てられた複数の下りタイムスロットのぞれぞれについての受信電力及びＳ／Ｎ比とを平均化する。
【００５８】
なお、上述したように、受信された複数の下りタイムスロットは、後に受信された下りタイムスロットの方が送信電力の設定対象である次に下り回線に対して一度に割り当てられる複数の下りタイムスロットとの時間差が小さい。このため、受信電力平均化部１１６は、受信された複数の下りタイムスロットの受信電力及びＳ／Ｎのそれぞれについて、下りタイムスロットの受信順序が遅くなるにつれて、その受信電力及びＳ／Ｎ比に対する重み付けを大きくして、平均化するようにしても良い。平均化された受信電力及びＳ／Ｎ比は、送信電力制御情報生成部１１７へ送られる。
【００５９】
送信電力制御情報生成部１１７は、データ品質平均化部１１４から送られる平均化されたデータ品質と、受信電力平均化部１１６から送られる平均化された受信電力及びＳ／Ｎ比とに基づいて、次に下り回線に一度に割り当てられる下りタイムスロットの送信電力に対する要求としての送信電力制御情報を生成する。
【００６０】
具体的には、送信電力制御情報生成部１１７は、平均化されたデータ品質及びＳ／Ｎ比が所定の品質を満たしていない場合や、平均化された受信電力が所定の電力を満たしていない場合には、送信電力を上げるように要求する。一方、送信電力制御情報生成部１１７は、平均化されたデータ品質及びＳ／Ｎ比が所定の品質を過剰に満たしている場合や、平均化された受信電力が所定の電力を過剰に満たしている場合には、送信電力を下げるように要求する。なお、以下においては、データ品質、Ｓ／Ｎ比及び受信電力をまとめて、「受信品質」と称する。
【００６１】
送信電力制御情報生成部１１７によって生成された送信電力制御情報は、送信部１１８へ送られる。送信部１１８は、送信電力制御情報生成部１１７によって生成された送信電力制御情報に対し、所定の変調を行い、上りタイムスロットに包含して基地局１２０へ送信する。
【００６２】
図３は、基地局１２０の構成例を示す図である。同図に示す基地局１２０は、送受信アンテナ１２１−１、１２１−２、送受信部１２２−１、１２２−２、データ復調部１２３、受信電力導出部１２４−１、１２４−２、受信電力平均化部１２５、送信電力設定部１２６を備える。この基地局１２０は、２つの送受信アンテナ１２１−１、１２１−２を備える送受信ダイバーシチの構成例であり、送受信部１２２−１、１２２−２、受信電力導出部１２４−１、１２４−２は、送受信アンテナ１２１−１、１２１−２に対応して設けられている。
【００６３】
送受信アンテナ１２１−１及び送受信部１２２−１は、移動局１１０から送信される、上りタイムスロットを受信する。この送受信アンテナ１２１−１及び送受信部１２２−１によって受信された上りタイムスロットは、データ復調部１２３及び受信電力導出部１２４−１へ送られる。
【００６４】
同様に、送受信アンテナ１２１−２及び送受信部１２２−２は、移動局１１０から送信される、上り回線に対して一度に割り当てられた１又は複数の上りタイムスロットを受信する。この送受信アンテナ１２１−２及び送受信部１２２−２によって受信された１又は複数の上りタイムスロットは、データ復調部１２３及び受信電力導出部１２４−２へ送られる。
【００６５】
データ復調部１２３は、送受信部１２２−１、１２２−２から送られる、上り回線に対して一度に割り当てられた１又は複数の上りタイムスロットのそれぞれを復調する。データ復調部１２３によって復調されたデータには、送信電力制御情報が含まれる。データ復調部１２３は、復調したデータから送信電力制御情報を抽出し、送信電力設定部１２６へ送る。
【００６６】
受信電力導出部１２４−１は、送受信部１２２−１から送られる、上り回線に対して一度に割り当てられた１又は複数の上りタイムスロットの受信電力を導出する。受信電力平均化部１２５は、上り回線に対して一度に複数の上りタイムスロットが割り当てられている場合に、受信電力導出部１２４−１によって導出されたこれら各上りタイムスロットの受信電力、換言すれば、送受信アンテナ１２１−１によって受信された各上りタイムスロットの受信電力を平均化する。この平均化された受信電力は、送信電力設定部１２６へ送られる。
【００６７】
同様に、受信電力導出部１２４−２は、送受信部１２２−２から送られる、上り回線に対して一度に割り当てられた１又は複数の上りタイムスロットの受信電力を導出する。受信電力平均化部１２５は、上り回線に対して一度に複数の上りタイムスロットが割り当てられている場合に、受信電力導出部１２４−２によって導出されたこれら各上りタイムスロットの受信電力、換言すれば、送受信アンテナ１２１−２によって受信された各上りタイムスロットの受信電力を平均化する。この平均化された受信電力は、送信電力設定部１２６へ送られる。
【００６８】
送信電力設定部１２６は、データ復調部１２３から送られる送信電力制御情報と、受信電力平均化部１２５から送られる平均化された受信電力とに基づいて、送受信アンテナ１２１毎に、次に下り回線に一度に割り当てられる複数の下りタイムスロットのそれぞれについて、送信電力を設定する。
【００６９】
具体的には、送信電力設定部１２６は、データ復調部１２３から送られる送信電力制御情報において送信電力を上げるように要求されている場合には、直前に下り回線に対して一度に割り当てられた複数の下りタイムスロットの送信時の送信電力を増加させる。また、送信電力設定部１２６は、データ復調部１２３から送られる送信電力制御情報において送信電力を下げるように要求されている場合には、直前に下り回線に対して一度に割り当てられた複数の下りタイムスロットの送信時の送信電力を減少させる。
【００７０】
更に、送信電力設定部１２６は、このようにして増減された送信電力を、受信電力平均化部１２５から送られる、送受信アンテナ１２１−１に対応する平均化された受信電力と送受信アンテナ１２１−２に対応する平均化された受信電力との比率に応じて、次に送受信アンテナ１２１−１から送信される各下りタイムスロットの送信電力と、次に送受信アンテナ１２１−２から送信される各下りタイムスロットの送信電力とに割り当てる。例えば、送受信アンテナ１２１−１に対応する平均化された受信電力と送受信アンテナ１２１−２に対応する平均化された受信電力との比率が２：１である場合には、送信電力設定部１２６は、次に送受信アンテナ１２１−１から送信される各下りタイムスロットの送信電力と、次に送受信アンテナ１２１−２から送信される各下りタイムスロットの送信電力とが２：１になるように、送信電力を割り当てる。
【００７１】
ところで、図４に示すように、移動局１１０において平均化された受信品質が導出されてから基地局１２０において次に下り回線に一度に割り当てられる複数の下りタイムスロットのそれぞれが送信されるまでの経過時間や、基地局１２０において平均化された受信電力が導出されてから基地局１２０において次に下り回線に一度に割り当てられる複数の下りタイムスロットのそれぞれが送信されるまでの経過時間（以下これらの経過時間を「制御遅延時間」と称する）が長いほど、換言すれば、次に下り回線に一度に割り当てられる複数の下りタイムスロットのうち、後に送信される下りタイムスロットの送信電力ほど大きくする必要がある。また、移動局１１０と基地局１２０との通信におけるフェージング周波数（ｆＤ）が高いほど、次に下り回線に一度に割り当てられる各下りタイムスロットの送信電力を大きくする必要がある。
【００７２】
このため、更に、送信電力設定部１２６は、所定の方法により移動局１１０と基地局１２０との通信におけるフェージング周波数を取得する。そして、送信電力設定部１２６は、図４に示す特性に基づいて、送受信アンテナ１２１−１から送信される各下りタイムスロットのぞれぞれについて、送信順序が遅くなるにつれて、且つ、取得したフェージング周波数が高くなるにつれて、送信電力を大きくする。このようにして設定された送信電力は、送受信部１２２−１へ送られる。同様に、送信電力設定部１２６は、図４に示す特性に基づいて、送受信アンテナ１２１−２から送信される各下りタイムスロットのそれぞれについて、送信順序が遅くなるにつれて、且つ、取得したフェージング周波数が高くなるにつれて、送信電力を大きくする。このようにして設定された送信電力は、送受信部１２２−２へ送られる。
【００７３】
なお、送信電力設定部１２６は、予め初期電力値を定めておき、この初期電力値が上述した手順により導出した送信電力の値になるように増減させて、送受信アンテナ１２１−１、１２１−２から送信される各下りタイムスロットのぞれぞれについての送信電力を導出するようにしても良い。
【００７４】
送受信アンテナ１２１−１及び送受信部１２２−１は、次に下り回線に一度に割り当てられる各下りタイムスロットのそれぞれについて、送信電力設定部１２６によって設定された送信電力で送信する。同様に、送受信アンテナ１２１−２及び送受信部１２２−２は、次に下り回線に一度に割り当てられる各下りタイムスロットのそれぞれについて、送信電力設定部１２６によって設定された送信電力で送信する。
【００７５】
次に、図５に示すシーケンス図を参照しつつ、移動局１１０及び基地局１２０の動作を説明する。同図は、下り回線に対して一度に３個の下りタイムスロットが割り当てられ、上り回線に対して一度に１個の上りタイムスロットが割り当てられる例である。
【００７６】
基地局１２０は、下り回線に対して一度に割り当てられる３個の下りタイムスロット１−１、１−２、１−３を送受信アンテナ１２１−１、１２１−２から送信する（ステップ１０１、１０３、１０５）。
【００７７】
移動局１１０は、これら３個の下りタイムスロット１−１、１−２、１−３を受信する毎に、その受信品質を導出する（ステップ１０２、１０４、１０６）。次に移動局１１０は、導出したタイムスロット１−１、１−２、１−３の各受信品質に所定の重み付けを行い、受信品質の平均を導出する（ステップ１０７）。
【００７８】
次に移動局１１０は、これら平均化された受信品質に基づいて、次に下り回線に一度に割り当てられる下りタイムスロット２−１、２−２、２−３の送信電力に対する要求としての送信電力制御情報を生成する（ステップ１０８）。移動局１１０は、この生成した送信電力制御情報を所定の方法で変調し、上りタイムスロットに包含して基地局１２０へ送信する（ステップ１０９）。
【００７９】
基地局１２０は、送受信アンテナ１２１−１、１２１−２により移動局１１０から送信される上りタイムスロットを受信すると、この上りタイムスロットを復調したデータから送信電力制御情報を抽出するとともに（ステップ１１０）、この上りタイムスロットの受信電力を導出する（ステップ１１１）。
【００８０】
次に基地局１２０は、抽出した送信電力制御情報、導出した受信電力、及び、図４に示す特性に基づいて、送受信アンテナ１２１−１、１２１−２毎に、次に送信される各下りタイムスロット２−１、２−２、２−３のそれぞれについて、送信電力を設定し（ステップ１１２）、送信する（ステップ１１３、１１４、１１５）。
【００８１】
なお、図示されてはいないが、移動局１１０は、これら下りタイムスロット２−１、２−２、２−３を受信する毎に、ステップ１０２、１０４、１０６と同様、受信品質及び受信電力を導出する。その後は、ステップ１０７以降の動作が繰り返される。
【００８２】
このように、移動通信システム１００では、下り回線に対して一度に割り当てられる複数の下りタイムスロットのそれぞれについて、直前に下り回線に対して一度に割り当てられた複数の下りタイムスロットの移動局１１０における受信品質と、直前に上り回線に対して一度に割り当てられた１又は複数の上りタイムスロットの基地局１２０における受信電力と、図４に示す特性に基づいて、送信電力が設定されるため、各下りタイムスロットに対し、適切な送信電力を設定することが可能となる。
【００８３】
上記実施形態において、移動局１１０内のデータ品質導出部１１３及び受信電力導出部１１５が下り受信品質導出手段に対応し、データ品質平均化部１１４及び受信電力平均化部１１６が下り受信品質平均導出手段に対応する。
【００８４】
また、基地局１２０内の送信電力設定部１２６が送信電力設定手段に対応し、受信電力導出部１２４−１、１２４−２が上り受信電力導出手段に対応し、受信電力平均化部１２５が上り受信電力平均導出手段に対応する。
【発明の効果】
上述の如く、本願発明によれば、下り回線に対して一度に割り当てられ、各送受信アンテナから送信される複数の下りタイムスロットのそれぞれについて、直前に下り回線に対して一度に割り当てられた複数の下りタイムスロットの受信品質の平均に基づいて、送信電力が設定されるため、各下りタイムスロットに対し、適切な送信電力を設定することが可能となる。
【図面の簡単な説明】
【図１】移動通信システムの構成例を示す図である。
【図２】移動局の構成例を示す図である。
【図３】基地局の構成例を示す図である。
【図４】フェージング周波数毎の制御遅延時間と必要な送信電力との関係を示す図である。
【図５】移動局及び基地局の動作を示すシーケンス図である。
【図６】従来の下りタイムスロットの送信電力を設定する第１の方法の概念図である。
【図７】従来の下りタイムスロットの送信電力を設定する第２の方法の概念図である。
【符号の説明】
１００  移動通信システム
１１０  移動局
１１１  送信部
１１２  データ復調部
１１３  データ品質導出部
１１４  データ品質平均化部
１１５  受信電力導出部
１１６  受信電力平均化部
１１７  送信電力制御情報生成部
１１８  送信部
【図１】
0003865212.tif 000002
【図２】
0003865212.tif 000003
【図３】
0003865212.tif 000004
【図４】
0003865212.tif 000005
【図５】
0003865212.tif 000006
【図６】
0003865212.tif 000007
【図７】
0003865212.tif 000008